(57)【要約】【課題】  電動ロールスクリーンなど長尺の装置を収容可能な長さと容積を備え、天井面との境及び開口部の美観を損なわない形態をもち、既設天井への取り付けが容易な天井埋込ボックスを提供することを課題とする。【解決手段】  所定長さを有する背面部１とその両側に垂直に接する一対の側面部２がアルミニウム押出材で一体に形成され下部が開口したコ字形のボックス本体１０と、ボックス本体１０の長手方向両端に取付けられる側面パネル７及びサイドフランジ４と、ボックス本体の下部開口に取付けられるハーフカバー５とから構成され、収容する装置の長さに切断した前記ボックス本体を天井面に埋め込み取付の際に長手方向両端の開口から吊りボルトの取付け作業を行い、固定後に側面パネルを取付け可能にされていることを特徴とする。【選択図】  図１
0003148925.tif 000002
【実用新案登録請求の範囲】
【請求項１】
所定長さを有する背面部とその両側に垂直に接する一対の側面部がアルミニウム押出材で一体に形成され、下部が開口したコ字形のボックス本体と、ボックス本体の長手方向両端に取付けられる側面パネル及びサイドフランジと、ボックス本体の下部開口に取付けられるハーフカバーと、から構成され、
前記背面部には、表面長手方向に形成された天井面から吊下げる複数の取付ボルト爪溝と、ボックス内に面する裏面長手方向に形成されボックス内に収容する装置を吊下げる複数の吊下ボルト爪溝とを備え、
前記側面部には、それぞれボックス開口の外側に向けて延びる化粧フランジと、前記サイドフランジの取付孔と、前記ハーフカバーを嵌合保持するカバー嵌合溝と、ボックス内に面する裏面長手方向に形成された複数の側面パネル取付け爪溝とを備え、
収容する装置の長さに切断した前記ボックス本体を天井面に埋め込み取付の際に長手方向両端の開口から吊りボルトの取付け作業を行い、固定後に側面パネルが取付け可能に構成されていることを特徴とする天井埋込ボックス。
【考案の詳細な説明】
【技術分野】
【０００１】
本考案は、利用時に垂下させる電動スクリーンなどの装置を天井裏面に格納しておくための天井埋込ボックスに関する。
【背景技術】
【０００２】
会議に於けるプレゼンテーションの効率を上げるため、パーソナルコンピュータで作成された会議資料をプロジェクターでスクリーンに映写したり、ホームシアターとしてＤＶＤ映像をスクリーンに映写鑑賞するホームシアターが普及してきた。
【０００３】
従来会議室や居間にこれらの映写目的のスクリーンが建築時に予め設置されていない場合が多く、建築後に天井に開口を設けスクリーン装置を収容することとなる。
【０００４】
その場合、会議室や居間の天井のスラブや桁に吊下げボルトで固定され、天井面に開口する埋め込みボックスを設置することが必要となるが、装置を収納可能な容積を有し、天井板が敷設された後に取付けやすい構造のボックスが望まれていた。電気配線用ボックスは特許文献１など多数開示されていたが、電動スクリーンなどの長尺で、且つスクリーン面を引出し利用するための開口を有するボックスは提案されていなかった。
【０００５】
【特許文献１】特開２００７−１５１２８１号公報（第２、３頁、第１図）
【考案の開示】
【考案が解決しようとする課題】
【０００６】
本考案は、電動ロールスクリーンなど長尺の装置を収容可能な長さと容積を備え、天井面との境及び開口部の美観を損なわない形態をもち、既設天井への取り付けが容易な天井埋込ボックスを提供することを課題とする。
【課題を解決するための手段】
【０００７】
前記課題を解決するため、本考案の天井埋込ボックスは、所定長さを有する背面部とその両側に垂直に接する一対の側面部がアルミニウム押出材で一体に形成され、下部が開口したコ字形のボックス本体と、ボックス本体の長手方向両端に取付けられる側面パネル及びサイドフランジと、ボックス本体の下部開口に取付けられるハーフカバーと、から構成され、
前記背面部には、表面長手方向に形成された天井面から吊下げる複数の取付ボルト爪溝と、ボックス内に面する裏面長手方向に形成されボックス内に収容する装置を吊下げる複数の吊下ボルト爪溝とを備え、
前記側面部には、それぞれボックス開口の外側に向けて延びる化粧フランジと、前記サイドフランジの取付孔と、前記ハーフカバーを嵌合保持するカバー嵌合溝と、ボックス内に面する裏面長手方向に形成された複数の側面パネル取付け爪溝とを備え、
収容する装置の長さに切断した前記ボックス本体を天井面に埋め込み取付の際に長手方向両端の開口から吊りボルトの取付け作業を行い、固定後に側面パネルが取付け可能に構成されていることを特徴とする。
【考案の効果】
【０００８】
本考案の天井埋込ボックスによれば、ボックス本体を天井面に埋め込み取付の際に長手方向両端の開口から吊りボルトの取付け作業が行なえ、固定後に側面パネルを取付け可能に構成されているため天井裏吊下げ工事を容易に行うことができる。
【０００９】
また、天井面から吊下げる複数の取付ボルト溝、ボックス内に収容する装置を吊下げる複数の吊下ボルト溝、ハーフカバーを嵌合保持するカバー嵌合溝、側面パネル取付け溝などがボックス本体の長手方向に形成されているため、電動スクリーンなど収容する装置のサイズに合わせてボックス本体をいずれの寸法で切断しても端部に溝が現れることから利用に支障を来たさない。
【００１０】
さらに、長手方向に延びる化粧フランジ、両端のサイドフランジにより埋込ボックス開口端が美しく、装置を収納した際には装置引出し部以外の開口をハーフカバーで覆うため収納時の美観を損なうことがない。
【考案を実施するための最良の形態】
【００１１】
以下、本考案の実施の形態を図を参照して説明する。
【００１２】
図１は、本考案の天井埋込ボックスの構成を示す斜視図である。
【００１３】
天井埋込ボックス１００は、所定長さを有する背面部１とその両側に垂直に接する一対の側面部２がアルミニウム押出材で一体に形成され下部が開口したコ字形のボックス本体１０と、ボックス本体１０の長手方向両端に取付けられる側面パネル７及びサイドフランジ４と、ボックス本体１０の下部開口に取付けられるハーフカバー５とから構成されている。
【００１４】
ボックス本体１０の背面部１には、表面長手方向に形成された天井面から吊下げる複数の取付ボルト爪溝１ａと、ボックス内に面する裏面長手方向に形成されたボックス内に収容する装置を吊下げる複数の吊下ボルト爪溝１ｃとを備えている。
【００１５】
取付ボルト爪溝１ａ、吊下ボルト爪溝１ｃは、端部からボルトの頭部を挿入可能で、挿入されたボルト頭部が掛かる爪が溝の内側に伸びている。
【００１６】
ボックス本体１０の側面部２には、それぞれボックス開口の外側に向けて延びる化粧フランジ２ｂと、前記サイドフランジ４を固定するサイドフランジ取付孔２ｄと、前記ハーフカバー５を嵌合保持するカバー嵌合溝２ｃと、ボックス内に面する裏面長手方向に形成された複数の側面パネル取付け爪溝２ａとを備えている。
【００１７】
化粧フランジ２ｂは、ボックス本体１０を天井に埋込む際に、天井板の切り欠きを隠す覆いとなる。ボックス本体１０の長手方向両端は、サイドフランジ４で覆われ、取付け面の美観を保つ。なお、サイドフランジ４は、サイドフランジ取付孔２ｄにタップネジ４ａで固定する。
【００１８】
前記ハーフカバー５を嵌合保持するカバー嵌合溝２ｃは、溝の上下に爪が伸びており、後述するハーフカバー５の取付突起５ｃ（図３参照）を嵌め込み可能に形成されている。
【００１９】
側面パネル取付け爪溝２ａは、左右それぞれの側面部２の上下に２箇所ずつ設けられており、Ｌ字金物のパネル取付ヒンジ３が差し込まれネジ留めされる。
側面パネル７は、ボックス本体１０の天井裏への吊下げ作業の後に、ボックス本体１０内部からパネル取付ヒンジ３にネジ留めし、ボックス本体１０の側面を閉じる。
【００２０】
図１の実施の形態では、背面部１に吊りボルト貫通穴１ｂを穿孔し、躯体天井から吊りボルト１１を貫通させて吊下げた状態を示しているが、取付ボルト爪溝１ａに取り付けボルト或いはナットを挿入して吊下げる形態としても良い。
【００２１】
図２は、ボックス本体の断面図で、ハーフカバーを嵌合した状態を示す。
【００２２】
図２において、図１と同じ部分は同符号とし説明を省略する。図２において、ハーフカバー５は、電動スクリーンなど収容する装置の引出し側に当たらない側面部２の左右いずれかのカバー嵌合溝２ｃに挿入する。
【００２３】
図３は、ハーフカバー５の断面図である。ハーフカバー５は化粧面であるカバー面５ａと内面５ｂがアルミ押出材で一体に形成され、背面に上下に爪が形成された取付突起５ｃを備えている。ハーフカバー５は、ボックス本体１０の長さに切断し、その端部に図１に示したハーフカバーキャップＲ６ａ、ハーフカバーキャップＬ６ｂを被せる。
【００２４】
図２に示すように、ハーフカバー５の取付突起５ｃの上部をカバー嵌合溝２ｃの上部に差込み（想像線）、取付突起５ｃの下部をカバー嵌合溝２ｃに嵌め込むことにより、ハーフカバー５が水平に保持される。
【００２５】
図４は、本考案の側面パネル７の平面図である。
【００２６】
側面パネル７は、ボックス本体１０の長手方向両端の側面を閉じる金属板で、パネル取付ヒンジ３とネジ留めするための４箇所のネジ孔７ｂと、ボックス内に収容する装置への電源ケーブル等の配線穴７ｃが形成されている。なお、上部にはボックス本体１０の背面部１と当接する背面当接切欠７ａが形成されている。
【００２７】
図５は、パネル取付ヒンジ３を示し、（ａ）は正面図、（ｂ）は側面図である。
【００２８】
パネル取付ヒンジ３はＬ字の各辺にネジ孔３ａが穿孔ネジ立てされている。
【図面の簡単な説明】
【００２９】
【図１】本考案の天井埋込ボックスの構成を示す斜視図である。
【図２】本考案のボックス本体の断面図で、ハーフカバーを嵌合した状態を示す。
【図３】本考案のハーフカバーの断面図である。
【図４】本考案の側面パネルの平面図である。
【図５】パネル取付ヒンジを示し、（ａ）は正面図、（ｂ）は側面図である。
【符号の説明】
【００３０】
１    背面部
１ａ  取付ボルト爪溝
１ｂ  吊りボルト貫通穴
１ｃ  吊下ボルト爪溝
２    側面部
２ａ  側面パネル取付け爪溝
２ｂ  化粧フランジ
２ｃ  カバー嵌合溝
２ｄ  サイドフランジ取付孔
３    パネル取付ヒンジ
３ａ  ネジ孔
４    サイドフランジ
４ａ  タップネジ
５    ハーフカバー
５ａ  カバー面
５ｂ  内面
５ｃ  取付突起
６ａ  ハーフカバーキャップＲ
６ｂ  ハーフカバーキャップＬ
７    側面パネル
７ａ  背面当接切欠
７ｂ  ネジ孔
７ｃ  配線穴
１０    ボックス本体
１１    吊りボルト
１００    天井埋込ボックス    
【図１】
0003148925.tif 000003
【図２】
0003148925.tif 000004
【図３】
0003148925.tif 000005
【図４】
0003148925.tif 000006
【図５】
0003148925.tif 000007